(57)【特許請求の範囲】
【請求項１】
棒状体を有し、その棒状体の長手方向一端部に、装着された地中アンカを地盤に向けて回転圧入する回転機械に着脱自在に装着できる取付部を有し、前記棒状体の長手方向の他端側が先細りに形成されていることを特徴とするＮ値測定工具。
【請求項２】
請求項１に記載のＮ値測定工具において、棒状体に圧入距離を示す目印が前記棒状体の長手方向に所定の間隔をおいて設けられていることを特徴とするＮ値測定工具。
【請求項３】
請求項２に記載のＮ値測定工具において、目印が棒状体に対する溶接の肉盛りにより形成されていることを特徴とするＮ値測定工具。
【請求項４】
請求項１，２又は３に記載のＮ値測定工具を回転機械に装着して地盤に回転圧入してその地盤のＮ値を測定し、測定したＮ値を基に選ばれた地中アンカを前記回転機械に装着して地盤に回転圧入することにより、前記地中アンカを埋設することを特徴とする地中アンカ埋設方法。
【発明の詳細な説明】
【０００１】
【発明の属する技術分野】
本発明は、地盤の硬さを測定するためのＮ値測定工具及びＮ値測定に引き続き地中アンカを埋設する方法に関する。
【０００２】
【従来の技術】
本出願人は、先に、特開２０００−１８５０号、同２００１−５９２２１号、同２００１−１８２０５８号等において、電柱や建築構造物等の構造物を支える支線用の地中アンカを提案している。これら提案に係る地中アンカは、地中アンカの埋設される地盤の性質、すなわち、地盤の軟硬の程度に合わせてその種類を選択している。
【０００３】
地盤の軟硬の程度を表わす指標としてＮ値が用いられる。このＮ値は、ＪＩＳＡ１２１９に示されるように、外径５．１ｃｍ、内径３．５ｃｍ、長さ８１．０ｃｍの中空の測定具（サンプラー）を地中へ打ち込む際に生ずる地盤の抵抗から求められるもので、上述の測定具に質量６３．５ｋｇ（約６２２．３Ｎ）のハンマーを測定具の上方７５ｃｍの高さから自由落下させ、その測定具が３０ｃｍ打ち込まれるのに必要な打撃数Ｎから求められる。
【０００４】
従来のＮ値測定工具としては、スウェーデン式サウンディング試験用具が知られている。この試験用具は、ＪＩＳＡ１２２１−１９７６に規定されている試験方法を実施できるもので、棒状体の先端にスクリューを有し、上端の回転用ハンドル部分にウエイトを設けた構造であり、その棒状体を地中に１ｍ嵌入するのに何回転させたかによりＮ値が測定される。
【０００５】
【発明が解決しようとする課題】
しかしながら、上記従来のスウェーデン式サウンディング試験用具からなるＮ値測定工具は、普通地や土盛した土地等の普通土質のＮ値１０程度のものが測定の限界で、本出願人の提案に係る地中アンカの種類を選択するためには不十分であった。すなわち、本出願人の上述した提案に係る地中アンカは、砂礫地等のＮ値が５０以上にも適用できるものであるから、硬質の地盤のＮ値も測定することのできるＮ値測定工具の出現が待たれていた。
【０００６】
そこで、本発明は、上述の要望に応えるためになされたものであって、主たる目的は、硬質の地盤のＮ値も容易に測定することのできるＮ値測定工具を提案することにある。また、従たる目的は、Ｎ値測定と、その測定値に対応する所定の地中アンカの埋設を高能率的に行うことができる地中アンカ埋設方法を提供することにある。
【０００７】
【課題を解決するための手段】
本発明に係るＮ値測定工具は、上記主たる目的を達成するため、棒状体を有し、その棒状体の長手方向一端部に、装着された地中アンカを地盤に向けて回転圧入する回転機械に着脱自在に装着できる取付部を有し、前記棒状体の長手方向の他端側が先細りに形成されていることを特徴としている。
前記棒状体には、圧入距離を示す目印が棒状体の長手方向に所定の間隔をおいて設けられていることが望ましい。
また、前記目印は、棒状体に対する溶接の肉盛りにより形成されていることが望ましい。
本発明に係る地中アンカ埋設方法は、上記従たる目的を達成するため、請求項１，２又は３に記載のＮ値測定工具を回転機械に装着して地盤に回転圧入してその地盤のＮ値を測定し、測定したＮ値を基に選ばれた地中アンカを前記回転機械に装着して地盤に回転圧入することにより、前記地中アンカを埋設することを特徴としている。
【０００８】
【発明の実施の形態】
以下、本発明の実施の形態について図面に基づいて説明する。図１は、一実施の形態に係るＮ値測定工具を示すものであり、（ａ）はその正面図、（ｂ）はその上面図である。Ｎ値測定工具１は、鋼製の丸棒（図示の例では５０φの丸棒）からなる棒状体２を有し、その一端部（図示の例では上端部）には、その棒状体２の直径よりも大きな径を有するつば部３が設けられている。
【０００９】
そのつば部３には、棒状体２と反対方向に突出する角柱からなる取付部４が形成されている。この取付部４は、地中アンカを既知の穴掘り建柱車の回転部等の回転機械Ｍに着脱自在に結合するために地中アンカの頭部に設けられている取付部と同一形状に形成されている。すなわち、取付部４には、その軸心方向と直交する方向に孔４ａが設けられていて、取付部４が回転機械Ｍに挿入されたときに、孔４ａに図示しないピンを通してＮ値測定工具１を回転機械Ｍに装着できるようになっている。
【００１０】
棒状体２の他端部側（図示の例では下部側）は先細りに形成されていて、測定時にＮ値測定工具１が地盤Ｇに食い込みやすいようにしてある。この先細りの長さは、Ｎ値測定工具１の長さが１４００ｍｍの場合、最大３００ｍｍである。また、この先細りの部分は、焼入加工により耐摩耗性、耐久性を備えている。
【００１１】
図中、ｍ，ｍ…は、Ｎ値測定工具１が回転圧入される時の圧入距離を示す目印であって、他端部（先端部）から所定距離（図示の例では５００ｍｍ）を起点として所定の間隔（図示の例では１００ｍｍ）ごとに棒状体２の周囲に設けられている。この目印ｍは、ペイントで形成される場合はＮ値測定中に地面（地盤）にこすれて消失しやすいので、溶接の肉盛により形成するのが好ましい。
【００１２】
上記Ｎ値測定工具１を用いて地盤ＧのＮ値測定を行うには、先ず、穴掘り建柱車の回転機械Ｍの先端にＮ値測定工具１の取付部４が取付けられる。そして、Ｎ値測定工具１の先端（先細り）を地盤Ｇの測定位置に合わせるとともに、そのＮ値測定工具１をほぼ垂直状にして、回転機械Ｍにより所定の押圧力（例えば８００ｋｇｆ（約７８４０Ｎ））を付加して回転させ、所定の深さ（例えば５０ｃｍ）に圧入されるまでの回転数からＮ値を求める。
【００１３】
回転数からＮ値を求めるには、回転数とＮ値との相関関係に基づいて予め作成された換算表が用いられる。図示の形状のＮ値測定工具１の場合は、Ｎ値測定工具１が５０ｃｍ挿入するまでの回転数が約４回であればＮ値は約１０と推定され、その回転数が約１０回であればＮ値は約２５と推定される。また、Ｎ値測定工具１が所定の回転数、例えば、１０回転で何ｃｍ圧入されたかによりＮ値を推定することもできる。例えば、１０回転で約３８ｃｍ圧入されたときのＮ値は、約３０と推定され、さらに、１０回転で約２８ｃｍ圧入されたときのＮ値は、約４０と推定される。
【００１４】
上述のＮ値測定後は、回転機械ＭからＮ値測定工具１が外され、測定されたＮ値により選ばれた地中アンカが、同じ回転機械Ｍに装着されて、そのＮ値が測定された地盤に向けて回転圧入されて、地中アンカの埋設作業が行われる。従って、一つの回転機械Ｍを用いて、Ｎ値測定と地中アンカの埋設が行われるので、作業能率向上効果とコスト低減効果が得られる。
【００１５】
【発明の効果】
請求項１の発明によるＮ値測定工具は、棒状体の長手方向一端部に、地中アンカを地盤に向けて回転圧入する回転機械を着脱自在に装着することができる取付部を有し、前記棒状体の長手方向の他端側が先細りに形成されているので、硬質の地盤のＮ値も容易に測定することができるとともに、そのＮ値測定結果を基に選択される地中アンカを同じ回転機械を用いてその地盤に埋設することができる。従って、Ｎ値測定作業と地中アンカ埋設作業とを高能率的に、かつ、経済的に行うことができる。
請求項２の発明によれば、棒状体に圧入距離を示す目印が棒状体の長手方向に所定の間隔をおいて設けられているので、圧入深さを容易に測定することができる。
請求項３の発明によれば、目印は棒状体に対する溶接の肉盛りにより形成されているので、Ｎ値測定中に地面（地盤）にこすれても消失しにくい。
請求項４の発明によれば、Ｎ値測定後はＮ値測定工具を回転機械から外し、測定されたＮ値を基に選ばれた地中アンカを、同じ回転機械に装着してそのＮ値が測定された地盤に埋設するので、Ｎ値測定に引き続いて地中アンカ埋設作業を行うことができ、Ｎ値測定から地中アンカ埋設までを短時間に高能率的に行うことができ、コスト低減効果が得られる。
【図面の簡単な説明】
【図１】  本発明の一実施の形態に係るＮ値測定工具を示す図であり、（ａ）はその正面図、（ｂ）はその上面図である。
【符号の説明】
１  Ｎ値測定工具
２  棒状体
３  つば部
４  取付部
４ａ  回転機械を着脱自在に装着するための孔
Ｍ  回転機械
Ｇ  地盤
【図１】
0003940608.tif 000002